(57)【特許請求の範囲】
【請求項１】
光源と、該光源を実装する基板を筒形状に形成されるハウジングの内部に収容し、前記ハウジングを覆い該ハウジングの外形に一致するように形成されるプロテクタとを含み、前記ハウジングにロック凸部を設けるとともに、前記プロテクタに前記ロック凸部を嵌合させるロック孔部を設け、さらに、前記ロック凸部を光透過性のある部分に形成するとともに、前記光源を前記ロック凸部の位置に合わせて配置し、
前記ロック凸部を前記ロック孔部に嵌合することにより前記ハウジングと前記プロテクタとを固定するようにしてなる
ことを特徴とする照明ユニット。
【請求項２】
請求項１に記載の照明ユニットにおいて、
前記ロック凸部の発光面に対する保護凸部を、前記ロック凸部及び前記プロテクタのいずれかに配設する
ことを特徴とする照明ユニット。
【請求項３】
請求項２に記載の照明ユニットにおいて、
前記保護凸部を部分的に設ける
ことを特徴とする照明ユニット。
【請求項４】
請求項１ないし請求項３いずれか記載の照明ユニットを、給電側コネクタ及び受電側コネクタからなる充電コネクタの前記受電側コネクタ周辺に設け、前記照明ユニットの前記ロック凸部を透過する光にて前記受電側コネクタを照明する
ことを特徴とする充電コネクタの照明構造。
【発明の詳細な説明】
【技術分野】
【０００１】
本発明は、照明ユニットと、この照明ユニットを含む充電コネクタの照明構造とに関する。
【背景技術】
【０００２】
電気自動車やハイブリッド自動車において、バッテリーへの充電は給電側コネクタ及び受電側コネクタ（車両側インレット）から構成される充電コネクタが用いられている。
【０００３】
下記特許文献１には充電コネクタに関する技術が開示されている。この開示技術によれば、受電側コネクタは、車両における受電側収容室に設けられている。受電側収容室には、ランプも設けられている。ランプは、照明ユニットを構成する一部品であって、受電側収容室の開閉蓋を開閉する際に点灯又は消灯するようになっている。ランプは、夜間での給電側コネクタ及び受電側コネクタの結合・離脱作業をし易くするために設けられている。ランプは、むき出しの状態且つ突出した状態で受電側収容室に設けられている。
【先行技術文献】
【特許文献】
【０００４】
【特許文献１】特開平６−３２５８３４号公報
【発明の概要】
【発明が解決しようとする課題】
【０００５】
ところで、上記従来技術にあっては、ランプがむき出し状態且つ突出した状態にあることから、ランプを保護するためとしてカバーやプロテクタ等の保護部材を用いて覆うことが考えられる。この場合、保護部材を新設する必要があるのは勿論のこと、保護部材をランプ周辺の部材等に嵌合させて固定する構造も必要になる。また、ランプからの光を保護部材の外側へ導光する導光部材等も必要になる。従って、少なくとも保護部材や嵌合構造や導光部材の分だけスペースを確保しなければならず、省スペース化を図ることのできる構造の採用が重要になる。
【０００６】
本発明は、上記した事情に鑑みてなされたもので、スペースをとらない照明ユニット及び充電コネクタの照明構造を提供することを課題とする。
【課題を解決するための手段】
【０００７】
上記課題を解決するためになされた請求項１記載の本発明の照明ユニットは、光源と、該光源を実装する基板を筒形状に形成されるハウジングの内部に収容し、前記ハウジングを覆い該ハウジングの外形に一致するように形成されるプロテクタとを含み、前記ハウジングにロック凸部を設けるとともに、前記プロテクタに前記ロック凸部を嵌合させるロック孔部を設け、さらに、前記ロック凸部を光透過性のある部分に形成するとともに、前記光源を前記ロック凸部の位置に合わせて配置し、前記ロック凸部を前記ロック孔部に嵌合することにより前記ハウジングと前記プロテクタとを固定するようにしてなることを特徴とする。
【０００８】
このような特徴を有する本発明によれば、ロック凸部及びロック孔部による嵌合部分を光の導光部分として兼用する。また、この兼用部分に合わせて光源も配置する。これらにより、大きなスペースを必要としない照明ユニットの提供が可能になる。
【０００９】
本発明において、ロック凸部にレンズ機能を持たせれば、光の集光効果が得られるようになる。また、本発明において、ロック凸部の形状を工夫し、例えば斜面等を形成すれば光の照射方向を調節することが可能になる。
【００１０】
請求項２記載の本発明の照明ユニットは、請求項１に記載の照明ユニットにおいて、前記ロック凸部の発光面に対する保護凸部を、前記ロック凸部及び前記プロテクタのいずれかに配設することを特徴とする。
【００１１】
このような特徴を有する本発明によれば、嵌合時におけるロック凸部の発光面を保護凸部により保護する。発光面は、ハウジング及びプロテクタの嵌合時に擦れて傷付くことはない。
【００１２】
請求項３記載の本発明の照明ユニットは、請求項２に記載の照明ユニットにおいて、前記保護凸部を部分的に設けることを特徴とする。
【００１３】
このような特徴を有する本発明によれば、嵌合時における保護凸部の抵抗を軽減する。保護凸部は、ハウジング及びプロテクタの嵌合作業に影響を来すことはない。
【００１４】
また、上記課題を解決するためになされた請求項４記載の本発明の充電コネクタの照明構造は、請求項１ないし請求項３いずれか記載の照明ユニットを、給電側コネクタ及び受電側コネクタからなる充電コネクタの前記受電側コネクタ周辺に設け、前記照明ユニットの前記ロック凸部を透過する光にて前記受電側コネクタを照明することを特徴とする。
【００１５】
このような特徴を有する本発明によれば、ロック凸部及びロック孔部による嵌合部分を介して光を導光し、この導光した光により充電コネクタの受電側コネクタを照明する。
【００１６】
本発明に関し、本発明を充電コネクタ用照明ユニットとして特徴づけると次のようになる。すなわち、「給電側コネクタ及び受電側コネクタからなる充電コネクタの前記受電側コネクタ周辺に設けられる充電コネクタ用照明ユニットにおいて、光源と、該光源を覆うハウジングと、該ハウジングを覆うプロテクタとを含み、前記ハウジングにロック凸部を設けるとともに、前記プロテクタに前記ロック凸部を嵌合させるロック孔部を設け、さらに、前記ロック凸部を光透過性のある部分に形成するとともに、前記光源を前記ロック凸部の位置に合わせて配置することを特徴とする充電コネクタ用照明ユニット。」となる。
【発明の効果】
【００１７】
請求項１に記載された本発明によれば、嵌合部分と導光部分との兼用により、また、この兼用の部分に合わせた光源の配置により、照明ユニットをスペースのとらない構造にすることができるという効果を奏する。また、本発明によれば、上記兼用を図ることにより、照明ユニットを簡素な構造にすることができるという効果を奏する。
【００１８】
請求項２に記載された本発明によれば、ロック凸部における発光面の保護をすることができるという効果を奏する。これにより、光の照射を安定させることができるという効果を奏する。
【００１９】
請求項３に記載された本発明によれば、保護凸部の抵抗を軽減することができるという効果を奏する。これにより、作業性の向上を図ることができるという効果を奏する。
【００２０】
請求項４に記載された本発明によれば、受電側コネクタを照明するにあたり、スペースをとらない照明構造を採用することができるという効果を奏する。
【図面の簡単な説明】
【００２１】
【図１】本発明の照明ユニット及び充電コネクタの照明構造を示す受電側収容室の配置図である（実施例１）。
【図２】照明ユニットの要部断面図である。
【図３】照明ユニットの斜視図（円内はロック凸部の拡大斜視図）である。
【図４】（ａ）及び（ｂ）は保護凸部を有するロック凸部の拡大斜視図である（実施例２）。
【図５】（ａ）は保護凸部を有するプロテクタの要部断面図、（ｂ）は（ａ）のＡ−Ａ線断面図である（実施例３）。である。
【発明を実施するための形態】
【００２２】
照明ユニットは、光源をハウジングで覆うとともに、このハウジングをプロテクタで覆うことによりなる。また、照明ユニットは、嵌合部分として、ハウジングにロック凸部を有するとともに、プロテクタにロック孔部を有することによりなる。さらに、照明ユニットは、ロック凸部を光透過性のある部分に形成するとともに、このようなロック凸部の位置に合わせて光源を配置することによりなる。照明ユニットは、上記嵌合部分を光の導光部分として兼用することによりなる。
【００２３】
充電コネクタの照明構造は、上記照明ユニットを充電コネクタの受電側コネクタ周辺に設けるとともに、ロック凸部を透過する光にて受電側コネクタを照明することによりなる。
【実施例１】
【００２４】
以下、図面を参照しながら実施例１を説明する。図１は本発明の照明ユニット及び充電コネクタの照明構造を示す受電側収容室の配置図である。また、図２は照明ユニットの要部断面図、図３は照明ユニットの斜視図（円内はロック凸部の拡大斜視図）である。
【００２５】
以下の説明において、具体的な形状、材料、数値、方向等は、本発明の理解を容易にするための例示であって、用途、目的、仕様等に合わせて適宜変更することができるものとする。
【００２６】
電気自動車やハイブリッド自動車には、モータを駆動するために高圧のバッテリーが搭載されている。このバッテリーへの充電としては、充電コネクタが用いられている。（以下説明での充電コネクタは、直流のもの、交流のもののいずれであってもよいものとする）。
【００２７】
図１において、充電コネクタ１は、給電側コネクタ２と、受電側コネクタ３（車両側インレット）とを備えて構成されている。給電側コネクタ２及び受電側コネクタ３は、これらが結合・離脱することができる構造を有している。受電側コネクタ３は、充電口４及びキャップ５を有している。このような受電側コネクタ３は、車両の所定位置に配置される受電側収容室６に設けられている。この受電側収容室６には、受電側コネクタ３の他に、意匠カバー７と、本発明に係る照明ユニット８とが更に設けられている。照明ユニット８は、受電側コネクタ３を照明するためや、充電状態の発光表示をするために設けられている。
【００２８】
給電側コネクタ２及び受電側コネクタ３は、公知のものが用いられており、ここでの説明は省略するものとする。
【００２９】
意匠カバー７は、受電側コネクタ３及び照明ユニット８の所定部分のみを露出させる板状部材であって、公知の固定手段を用いて受電側収容室６に取り付けられている。意匠カバー７には、受電側コネクタ３に対する開口部９と、照明ユニット８に対する開口部１０とが形成されている。開口部９及び１０は、それぞれ所定の大きさで開口するように形成されている。尚、意匠カバー７を設けるか否かは任意であるものとする。
【００３０】
照明ユニット８は、受電側コネクタ３に向けて光１１を照射し、所望の明るさで受電側コネクタ３を照明することができるようになっている。照明ユニット８は、夜間や暗所での給電側コネクタ２及び受電側コネクタ３の結合・離脱作業をし易くするために設けられている。本実施例における照明ユニット８は、特に限定するものでないが、タイマー機能や防水機能を有している。
【００３１】
図１ないし図３において、照明ユニット８は、本発明の要部となる照明機能部１２と、車両の図示しない充電回路に接続するためのコネクタ１３（図３参照）と、これら照明機能部１２及びコネクタ１３を電気的に繋ぐハーネス部１４と、このハーネス部１４を適宜固定するための図示しない固定手段（例えば公知のクリップなど）とを含んで構成されている。コネクタ１３、ハーネス部１４、及び固定手段（図示省略）は公知のものが用いられている。ハーネス部１４は、複数本の電線１５と、この複数の電線１５を保護するコルゲートチューブ１６とを備えて構成されている。
【００３２】
照明機能部１２は、ＬＥＤ１７や発光表示部１８などの光源と、この光源を実装してなるタイマー基板アッシー１９と、光透過性ハウジング２０（ハウジング）と、非光透過性カバー２１（プロテクタ）と、カラー２２と、ホルダー２３と、パッキン２４と、ゴム栓２５と、ホルダーカバー２６とを備えて構成されている。
【００３３】
タイマー基板アッシー１９は、矩形状の基板を有している。この基板には、ＬＥＤ１７及び発光表示部１８を発光させるための所定回路や、タイマー回路等が設けられている。上記回路の接続部分には、電線１５の導体が半田付け等により電気的に接続されている。ＬＥＤ１７は、受電側コネクタ３に向けて光１１を照射することができるように配置されている。具体的には、後述するロック凸部３０の位置に合わせて配置されている。また、発光表示部１８も充電状態を発光表示することができるように配置されている。尚、ＬＥＤ１７に限らず、公知のランプを用いてもよいものとする。
【００３４】
光透過性ハウジング２０は、光透過性を有する合成樹脂材料を用いて成形されている。光透過性ハウジング２０は、本実施例において全体が透明になるように樹脂成形されている。光透過性ハウジング２０は、上記の如く透明であることから、全体が光を透過する光透過部２７となっている。
【００３５】
光透過性ハウジング２０は、タイマー基板アッシー１９を収容固定する部分としてハウジング本体部２８を有している。また、光透過性ハウジング２０は、非光透過性カバー２１との嵌合部分としてロック凸部３０を有している。さらに、光透過性ハウジング２０は、ハウジング本体部２８の側壁２９よりも外側へ膨出する部分として膨出部３１、３２を有している。さらにまた、光透過性ハウジング２０は、ハウジング本体部２８及び膨出部３１、３２に連続するフランジ状の部分として固定部３３を有している。
【００３６】
ハウジング本体部２８は、断面が矩形となる筒形状に形成されている。このような形状のハウジング本体部２８は、図２中上端の位置に上壁３４を有するとともに、図２中下端の位置に開口部３５を有している。開口部３５は、この開口面が固定部３３の下面と同一平面上に位置するように配置形成されている。ハウジング本体部２８は、開口部３５の奥位置に段部３６を有している。
【００３７】
段部３６は、この内面部分がホルダー２３の挿入量を決めるストッパとして機能するように形成されている。このような段部３６よりも若干上方の部分は、パッキン２４に対するシール面として機能するように形成されている。
【００３８】
ロック凸部３０は、上記の如く非光透過性カバー２１との嵌合部分として設けられている。また、ロック凸部３０は、ＬＥＤ１７からの光１１を導光する部分として設けられている。さらに、ロック凸部３０は、受電側コネクタ３に向けて光１１を照射する部分として設けられている。ロック凸部３０は、光透過性ハウジング２０全体が透明であることから、この部分も当然に透明になっている。
【００３９】
ロック凸部３０は、ハウジング本体部２８の側壁２９から徐々に離れるように、且つ、曲面となるように形成される発光面３７と、この発光面３７の頂部から側壁２９に対し直角な面として形成される係止面３８と、二つの側面３９とを有している。ロック凸部３０は、公知の係止突起と同様の形状に形成されるとともに、レンズ機能を有する形状にも形成されている。尚、発光面３７の傾きや大きさは、光１１の照射範囲に配慮しつつ設定されるものとする。本実施例の発光面３７は、受電側コネクタ３の充電口４の位置を明るく照らすことができるように傾きや大きさが設定されている。
【００４０】
発光面３７に関し、この発光面３７は曲面に限らず、平坦な斜面であってもよいものとする。この場合、斜面の角度に応じてＬＥＤ１７からの光１１が屈折することから、照射範囲を調節することができるという効果を奏する。
【００４１】
固定部３３は、受電側収容室６の底に対し、ボルト止めにて固定される部分であって、金属製のカラー２１が設けられている。
【００４２】
非光透過性カバー２１は、光透過性のない合成樹脂材料を用いて成形されている。非光透過性カバー２１は、本実施例において、光透過性ハウジング２０を着脱自在に覆うことができる形状に形成されている。非光透過性カバー２１は、光透過性ハウジング２０のハウジング本体部２８における側壁２９及び上壁３４を覆う第一カバー部４０と、光透過性ハウジング２０の膨出部３１、３２を覆う第二カバー部４１と、これらを繋ぐカバー段部４２とを有している。
【００４３】
第一カバー部４０の側壁４３には、矩形状に貫通するロック孔部４４が設けられている。このロック孔部４４は、光透過性ハウジング２０との嵌合部分として設けられている。また、ロック孔部４４は、ＬＥＤ１７からの光１１を通過させる部分として設けられている。ロック孔部４４は、ロック凸部３０及びＬＥＤ１７の位置に合わせて配置形成されている。
【００４４】
ロック孔部４４は、ロック凸部３０が挿入状態で嵌り込むような形状に形成されている。ロック孔部４４における引用符号４５は係止面を示している。この係止面４５は、ロック凸部３０の係止面３８に対し面接触で引っ掛かるようになっている。
【００４５】
第一カバー部４０の上壁４６には、発光表示部１８からの光４７を通過させる光通過窓４８が設けられている。光通過窓４８は、本実施例において円形状に貫通するように形成されている。
【００４６】
カバー段部４２は、上記の如く第一カバー部４０と第二カバー部４１とを繋ぐ部分になっている。このようなカバー段部４２は、開口部１０を介して意匠カバー７の内部を見えないようにすることができる有効な部分になっている。
【００４７】
ホルダー２３は、絶縁性を有する合成樹脂材料を用いて成形されている。ホルダー２３は、この外周面にパッキン２４を設けた状態で、また、複数の電線１５を挿通した状態で光透過性ハウジング２０のハウジング本体部２８に挿入されるようになっている。
【００４８】
ホルダー２３は、電線１５の本数分の電線挿通室４９を有している。この電線挿通室４９は、ゴム栓２５を取り付けた状態の電線１５を水密に収容することができるように形成されている。
【００４９】
ホルダーカバー２６は、、絶縁性を有する合成樹脂材料を用いて成形されている。ホルダーカバー２６は、ハウジング本体部２８の開口部３５に嵌合するように形成されている。ホルダーカバー２６は、ホルダー２３の脱落を防止することができるように形成されている。
【００５０】
電線１５は、図示の如く略クランク形状に屈曲した状態でホルダー２３及びホルダーカバー２６により保持されている。尚、本実施例のように屈曲保持するのは、仮に電線１５に引き抜き方向の外力が加わった場合であっても、タイマー基板アッシー１９に対する電線１５の接続部分に外力を作用させないようにできるためである。
【００５１】
上記構成及び構造において、図１に示す如くＬＥＤ１７から受電側コネクタ３に向けて光１１を照射すると、受電側コネクタ３は明るく照らされ、給電側コネクタ２及び受電側コネクタ３の結合・離脱作業が容易になる。また、発光表示部１８からの光４７にて充電が完了したか否かの状態が確認可能になる。
【００５２】
実施例１をまとめると、照明ユニット８は、ＬＥＤ１７を光透過性ハウジング２０で覆うとともに、この光透過性ハウジング２０を非光透過性カバー２１で覆うことによりなる。また、照明ユニット８は、嵌合部分として、光透過性ハウジング２０にロック凸部３０を有するとともに、非光透過性カバー２１にロック孔部４４を有することによりなる。さらに、照明ユニット８は、ロック凸部３０を光透過性のある部分に形成するとともに、このようなロック凸部３０の位置に合わせてＬＥＤ１７を配置することによりなる。照明ユニット８は、嵌合部分を光１１の導光部分として兼用することによりなる。
【００５３】
充電コネクタ１の照明構造は、照明ユニット８を受電側コネクタ３の周辺に設けるとともに、ロック凸部３０を透過する光１１にて受電側コネクタ３を照明することによりなる。
【００５４】
以上、図１ないし図３を参照しながら説明してきたように、本発明によれば、光透過性ハウジング２０及び非光透過性カバー２１の嵌合部分としてロック凸部３０及びロック孔部４４を用いるとともに、この嵌合部分に合わせてＬＥＤ１７を配置し、さらに、嵌合部分をＬＥＤ１７からの光１１の導光部分として兼用することから、大きなスペースを必要としない照明ユニット８を提供することができるという効果を奏する。また、本発明によれば、嵌合部分と光１１の導光部分との兼用を図ることにより、照明ユニット８を簡素な構造にすることができるという効果を奏する。
【実施例２】
【００５５】
以下、図面を参照しながら実施例２を説明する。図４（ａ）及び（ｂ）は保護凸部を有するロック凸部の拡大斜視図である。尚、上記実施例１と同一の構成部材には同一の符号を付して詳細な説明を省略する。
【００５６】
図４（ａ）において、引用符号３０′はハウジング本体部２８の側壁２９から突出するロック凸部を示している。ロック凸部３０′は、一対の保護凸部５０を有する点でのみ実施例１と異なっている（他の部分は実施例１と同じであるものとする）。
【００５７】
具体的に、ロック凸部３０′は、ハウジング本体部２８の側壁２９から徐々に離れるように、且つ、曲面となるように形成される発光面３７と、この発光面３７の頂部から側壁２９に対し直角な面として形成される係止面３８と、二つの側面３９と、発光面３７の両側に設けられる一対の保護凸部５０とを有している。
【００５８】
一対の保護凸部５０は、光透過性ハウジング２０を非光透過性カバー２１にて覆い（図２参照）、これらを嵌合させる際に、発光面３７が非光透過性カバー２１の内面にて擦れないようにする部分として設けられている。すなわち、発光面３７の要部を保護するため、発光面３７よりも突出する部分として設けられている。尚、一対の保護凸部５０は、それぞれ同じ形状に形成されていることから、以下、一方のみを説明するものとする。
【００５９】
保護凸部５０は、特に限定するものでないが、ハウジング本体部２８の側壁２９から発光面３７の頂部に向けて、徐々に突出量が増えるように形成されている（一例であるものとする）。また、保護凸部５０は、非光透過性カバー２１の内面（図２参照）に接触（摺接）する部分が面となる形状に形成されている。
【００６０】
保護凸部５０は、発光面３７のみのように部分的に設けられている。このため、光透過性ハウジング２０を非光透過性カバー２１にて覆う際の作業において、抵抗とならないような部分になっている。保護凸部５０は、嵌合に影響を来すことのない部分になっている。
【００６１】
図４（ｂ）において、引用符号３０″はハウジング本体部２８の側壁２９から突出するロック凸部を示している。ロック凸部３０″は、一対の保護凸部５１を有する点でのみ実施例１と異なっている（他の部分は実施例１と同じであるものとする）。
【００６２】
具体的に、ロック凸部３０″は、ハウジング本体部２８の側壁２９から徐々に離れるように、且つ、曲面となるように形成される発光面３７と、この発光面３７の頂部から側壁２９に対し直角な面として形成される係止面３８と、二つの側面３９と、発光面３７の両側に設けられる一対の保護凸部５１とを有している。
【００６３】
一対の保護凸部５１は、光透過性ハウジング２０を非光透過性カバー２１にて覆い（図２参照）、これらを嵌合させる際に、発光面３７が非光透過性カバー２１の内面にて擦れないようにする部分として設けられている。すなわち、発光面３７の要部を保護するため、発光面３７よりも突出する部分として設けられている。尚、一対の保護凸部５１は、それぞれ同じ形状に形成されていることから、以下、一方のみを説明するものとする。
【００６４】
保護凸部５１は、特に限定するものでないが、ハウジング本体部２８の側壁２９から発光面３７の頂部に向けて、徐々に突出量が増えるように形成されている（一例であるものとする）。また、保護凸部５１は、非光透過性カバー２１の内面（図２参照）に接触（摺接）する部分が線となる形状（例えば突条となる形状）に形成されている。
【００６５】
保護凸部５１は、発光面３７のみのように部分的に設けられている。このため、光透過性ハウジング２０を非光透過性カバー２１にて覆う際の作業において、抵抗とならないような部分になっている。保護凸部５１は、嵌合に影響を来すことのない部分になっている。
【００６６】
図４（ａ）に示す如く、保護凸部５０は面で接触可能な形状に形成されている。また、図４（ｂ）に示す如く、保護凸部５１は線で接触可能な形状に形成されている。この他、特に図示しないが、点で接触可能な形状に形成してもよいものとする。
【００６７】
以上、図４を参照しながら説明してきたように、本発明によれば、保護凸部５０、５１にてロック凸部３０′、３０″における発光面３７の保護をすることができるという効果を奏する。これにより、光の照射を安定させることができるという効果を奏する。
【実施例３】
【００６８】
以下、図面を参照しながら実施例３を説明する。図５（ａ）は保護凸部を有するプロテクタの要部断面図、図５（ｂ）は（ａ）のＡ−Ａ線断面図である。尚、上記実施例１と同一の構成部材には同一の符号を付して詳細な説明を省略する。
【００６９】
図５において、引用符号５２は非光透過性カバー２１における第一カバー部４０の側壁４３の内面に設けられる一対の保護凸部を示している。この一対の保護凸部５２は、側壁４３に設けられるロック孔部４４の係止面４５の位置から、光透過性ハウジング２０を覆う際の開始位置まで真っ直ぐにのびる略突条形状に形成されている。一対の保護凸部５２は、ロック孔部４４に対し設けられる部分となっている。一対の保護凸部５２は、光透過性ハウジング２０におけるハウジング本体部２８の側壁２９から突出するロック凸部３０の発光面３７の両側位置に合わせて間隔が設定されている。
【００７０】
一対の保護凸部５２は、光透過性ハウジング２０を非光透過性カバー２１にて覆い（図２参照）、これらを嵌合させる際に、発光面３７が上記側壁４３の内面にて擦れないようにする部分として設けられている。すなわち、発光面３７の要部を保護するため、側壁４３の内面よりも突出する部分として設けられている。一対の保護凸部５２は、この突出先端が発光面３７に対し、面又は線にて接触するような形状に形成されている。
【００７１】
以上、図５を参照しながら説明してきたように、本発明によれば、保護凸部５２にてロック凸部３０における発光面３７の保護をすることができるという効果を奏する。これにより、光の照射を安定させることができるという効果を奏する。
【００７２】
この他、本発明は本発明の主旨を変えない範囲で種々変更実施可能なことは勿論である。
【符号の説明】
【００７３】
１…充電コネクタ
２…給電側コネクタ
３…受電側コネクタ
４…充電口
５…キャップ
６…受電側収容室
７…意匠カバー
８…照明ユニット
９、１０…開口部
１１…光
１２…照明機能部
１３…コネクタ
１４…ハーネス部
１５…電線
１６…コルゲートチューブ
１７…ＬＥＤ（光源）
１８…発光表示部
１９…タイマー基板アッシー
２０…光透過性ハウジング（ハウジング）
２１…非光透過性カバー（プロテクタ）
２２…カラー
２３…ホルダー
２４…パッキン
２５…ゴム栓
２６…ホルダーカバー
２７…光透過部
２８…ハウジング本体部
２９…側壁
３０、３０′、３０″…ロック凸部
３１、３２…膨出部
３３…固定部
３４…上壁
３５…開口部
３６…段部
３７…発光面
３８…係止面
３９…側面
４０…第一カバー部
４１…第二カバー部
４２…カバー段部
４３…側壁
４４…ロック孔部
４５…係止面
４６…上壁
４７…光
４８…光通過窓
４９…電線挿通室
５０、５１、５２…保護凸部
【図１】
0005829408.tif 000002
【図２】
0005829408.tif 000003
【図３】
0005829408.tif 000004
【図４】
0005829408.tif 000005
【図５】
0005829408.tif 000006